(57)【要約】【課題】複数の表示用パネルにより形成される大型画面において、低コストで見やすい画像を表示することができる画像信号供給装置を提供する。【解決手段】複数の表示部の境界部に配置される発光装置（１）であって、上記複数の表示部の少なくとも何れかが表示する表示画像の色及び輝度の少なくとも何れかを検知するセンサ（１１）と、上記センサが検知した検知結果に応じて発光すべき色および輝度の少なくとも何れかを決定する発光決定部（１３）と、上記発光決定部により決定された色及び輝度にて発光する発光部（１２）と、を備えている発光装置。【選択図】図１
2019047224.tif 000002
【特許請求の範囲】
【請求項１】
複数の表示部の境界部に配置される発光装置であって、
上記複数の表示部の少なくとも何れかが表示する表示画像の色及び輝度の少なくとも何れかを検知するセンサと、
上記センサが検知した検知結果に応じて発光すべき色および輝度の少なくとも何れかを決定する発光決定部と、
上記発光決定部に決定された色及び輝度にて発光する発光部と、
を備えていることを特徴とする発光装置。
【請求項２】
上記センサは、複数の表示部の各々が表示する表示画像の色及び輝度の少なくとも何れかを検知することを特徴とする請求項１に記載の発光装置。
【請求項３】
上記センサは上記表示部の縁部に沿って延伸するように設けられていることを特徴とする請求項１または２に記載の発光装置。
【請求項４】
上記センサはカラーセンサであることを特徴とする請求項１から３までの何れか一項に記載の発光装置。
【請求項５】
複数の表示領域から構成される表示部に対して、当該複数の表示領域の各々に関する画像信号を供給する画像信号供給装置であって、
上記複数の表示領域の互いの離間距離を示す離間距離情報を参照して、上記各表示領域に関する画像信号の示す画像から、当該離間距離情報が示す離間領域における画像を削除することにより上記各表示領域に関する画像信号を修正する画像信号修正部と、
上記画像信号修正部によって修正された各画像信号を上記各表示領域に供給する画像信号供給部と、
を備えていることを特徴とする画像信号供給装置。
【請求項６】
上記画像信号修正部は、上記各表示領域に関する画像から上記離間領域における画像を削除することにより得られた画像において、上記離間領域に隣接する領域における画像をぼかすことによって、上記各表示領域に関する画像信号を更に修正する
ことを特徴とする請求項５に記載の画像信号供給装置。
【発明の詳細な説明】
【技術分野】
【０００１】
本発明は発光装置、および画像信号供給装置に関する。
【背景技術】
【０００２】
従来、駅、空港や大型商業施設などの人が多く集まる場所において複数の表示用パネルを縦横に組み合わせて大型画面（マルチパネルとも呼称される）を形成することがよくみられる。このように複数の表示用パネルを組み合わせる場合、各パネルが額縁（フレーム枠）を有するため、隣り合うパネル同士の額縁が隣接部（つなぎ目部）となり、全体の画像が格子状に区切られ、視聴者にとって目障りとなってしまうことがあった。
【０００３】
そこで、例えば、表示画面の隣接部、すなわち境界部に補助表示器を配列し、映像信号に基づいて当該補助表示器を駆動して画像が区切られなく表示され、視聴者によい画質を提供する技術が知られている（例えば、特許文献１参照）。
【０００４】
また、大型画面に表示される１枚の画像がテレビジョン受信機ごとに区切られることを解決するため、テレビジョン受信機ごとに、表示部に表示される画面端の色でフレーム枠に設けられたＬＥＤを点灯し、画像がフレーム枠の部分において区切られている違和感を低減し、全体として見やすい画像を映りだす技術が知られている（例えば、特許文献２参照）。
【先行技術文献】
【特許文献】
【０００５】
【特許文献１】特開１９９１−０３８９８２号公報（１９９１年２月２０日公開）
【特許文献２】特開２００６−０４２１９１号公報（２００６年２月９日公開）
【発明の概要】
【発明が解決しようとする課題】
【０００６】
しかしながら、上記特許文献１には下記の課題がある。すなわち、従来の表示器の制御回路の他に補助表示器用の制御回路を増設する必要があるため、制御回路が複雑になり、製造コストも増加する可能性があった。
【０００７】
また、上記特許文献２には下記の課題がある。すなわち、各テレビジョン受信機のフレーム枠に設けられたＬＥＤを点灯する際に、各テレビジョン受信機に入力される映像情報しか参照できない。このため、映像信号を処理するための構成が必要であり、製造コストが増加する可能性がある。
【０００８】
本発明の一態様は、上記の課題を鑑みてなされたものであり、複数の表示用パネルにより形成される大型画面において、低コストで見やすい画像を表示することができる技術を提供することを目的とする。
【課題を解決するための手段】
【０００９】
上記の課題を解決するために、本発明の一態様に係る発光装置は、複数の表示部の境界部に配置される発光装置であって、上記複数の表示部の少なくとも何れかが表示する表示画像の色及び輝度の少なくとも何れかを検知するセンサと、上記センサが検知した検知結果に応じて発光すべき色および輝度の少なくとも何れかを決定する発光決定部と、上記発光決定部により決定された色及び輝度にて発光する発光部とを備えている。
【００１０】
上記の課題を解決するために、本発明の一態様に係る画像信号供給装置は、複数の領域から構成される表示部に対して、当該複数の表示領域の各々に関する画像信号を供給する画像信号供給装置であって、上記複数の表示領域の互いの離間距離を示す離間距離情報を参照して、上記各表示領域に関する画像信号の示す画像から、当該離間距離情報が示す離間領域における画像を削除することにより上記各表示領域に関する画像信号を修正する画像信号修正部と、上記画像信号修正部によって修正された各画像信号を上記各表示領域に供給する画像信号供給部と、を備えている。
【発明の効果】
【００１１】
本発明の上記態様によれば、複数の表示用パネルにより形成される大型画面において、低コストで見やすい画像を表示することが可能な発光装置、および画像信号供給装置を提供することができる。
【図面の簡単な説明】
【００１２】
【図１】本発明の実施形態１に係る発光装置１が２枚のパネル（Ｐ１およびＰ２）の境界部に実装された状態を示す主要部分の斜視図である。
【図２】図1における実装状態を側面から見た模式図である。
【図３】本発明の実施形態１に係る発光装置１の構成のブロック図である。
【図４】本発明の実施形態１に係る発光装置１の発光例を説明する図である。
【図５】本発明の実施形態２に係る発光装置１ａが２枚のパネル（Ｐ１およびＰ２）の境界部に実装された状態を示す主要部分の斜視図である。
【図６】図５における実装状態を側面から見た模式図である。
【図７】本発明の実施形態１〜２に係る発光装置の動作の流れを示すフローチャートである。
【図８】本発明に係る画像信号供給装置の構成を示すブロック図である。
【図９】本発明に係る画像信号供給装置における画像信号修正部が取得する離間距離情報を含む取得情報について説明するための図である。
【図１０】本発明に係る画像信号修正部による第１の修正処理例を説明するための図である。
【図１１】本発明に係る画像信号修正部による第１の修正処理例を説明するための他の図である。
【図１２】本発明に係る画像信号修正部による第２の修正処理例を説明するための図である。
【図１３】本発明に係る画像信号修正部による第２の修正処理例を説明するための他の図である。
【発明を実施するための形態】
【００１３】
＜大型画面（マルチパネル）の全体的な構成＞
本発明に係るマルチパネルは、複数の表示部（パネル）を縦横に組み合わせて大型画面（マルチパネルとも呼称される）を形成し、表示部同士の境界部（隣接部）に本発明の発光装置を配置し、低コストで視聴者に見やすい画像を表示することができ、また本発明の画像信号供給装置を用いて視聴者により見やすい画像を表示することができる。
【００１４】
以下、本発明の大型画面（マルチパネル）の全体的な構成における主たる発光装置および画像信号供給装置を詳細に説明する。
＜発光装置の構成＞
〔実施形態１〕
本発明の実施形態１における発光装置ついて図１〜図３に基づいて説明する。
【００１５】
図１は本実施形態１に係る発光装置１が２枚のパネルＰ１およびＰ２の境界部に実装された状態を示す主要部分の斜視図である。図２は図1における実装状態を側面から見た模式図である。図３は本実施形態１に係る発光装置１の構成のブロック図である。
【００１６】
図１〜図２に示すように、発光装置１は、例えば、２枚のパネルＰ１およびＰ２の境界部に配置されて用いられる。図１〜図２に示す例では、発光装置１が細長形状に形成されており、発光装置１の延伸方向が、パネルＰ１およびＰ２の境界部に重なるように配置される。
【００１７】
図１〜図３に示すように、発光装置１は第１センサ１１−１と、第２センサ１１−２と、発光決定部１３と、発光部１２とを備え、図示しない既存の電源に接続されている。以下では、第１センサ１１−１と第２センサ１１−２とを合わせてセンサ１１と呼称することもある。
【００１８】
本実施形態１においては、センサ１１は発光装置１における発光部１２とは反対側の面（裏面）、具体的には発光部１２の下面（裏面）に設けられている。センサ１１はカラーセンサであることが好ましく、隣接するパネルＰ１の表示部とパネルＰ２の表示部の少なくとも何れかが表示する表示画像の色及び輝度を検知する。
【００１９】
図１〜図２に示すように、発光装置１におけるセンサ１１は、発光装置１の延伸方向、換言すれば、表示部の縁部に沿って延伸するように設けられている。第１センサ１１−１及び第２センサ１１−２は、それぞれ複数のセンサから構成されていてもよい。このように、第１センサ１１−１及び第２センサ１１−２をそれぞれ複数のセンサから構成する場合、発光決定部１３は、例えば、第１センサ１１−１及び第２センサ１１−２の各々において、対象の発光部１２から見て、より近くに配置されたセンサが検知した輝度及び色に応じて当該対象の発光部１２の発光を制御する構成とすることができる。換言すれば、発光決定部１３は、例えば、第１センサ１１−１において、対象の発光部１２から見て、より近くに配置されたセンサと、第２センサ１１−２において、対象の発光部１２から見て、より近くに配置されたセンサとの双方が検知した輝度及び色に応じて、対象の発光部１２の発光を制御する構成とすることができる。ただし、これは本実施形態を限定するものではなく、例えば、第１センサ１１−１及び第２センサ１１−２の何れか一方において、対象の発光部１２から見て、より近くに配置されたセンサが検知した輝度及び色に応じて当該対象の発光部１２の発光を制御する構成としてもよい。
【００２０】
また、本実施形態１においては、上述のようにセンサ１１は、第１センサ１１−１及び第２センサ１１−２を含んでおり、第１センサ１１−１は、例えば、パネルＰ１の表示部が表示する画像の当該表示部の端部における輝度及び色の少なくとも何れかを検知し、第２センサ１１−２は、例えば、パネルＰ２の表示部が表示する画像の当該表示部の端部における輝度及び色の少なくとも何れかを検知する。
【００２１】
発光決定部１３はセンサ１１が検知した検知結果に応じて発光すべき色および輝度を決定する。例えば、発光決定部１３は、第１センサ１１−１が検知した輝度と、第２センサ１１−２が検知した輝度との平均輝度を算出する。また、発光決定部１３は、第１センサ１１−１が検知した色と、第２センサ１１−２が検知した色との平均をとることにより得られる平均色を算出する。そして、発光決定部１３は、算出した平均輝度及び平均色にて発光部１２を発光させる。
【００２２】
発光部１２は、例えば、図１および図２に示すように、発光装置１においてセンサ１１とは反対側の面（表面）に１列設けられている。発光部１２は、例えばＬＥＤ又は有機ＥＬなどの自発光光源（例えば図１には４つの光源１２−１、１２−２、１２−３、１２−４が手前側から奥側へ配置されている）を備えて構成される。発光部１２は発光決定部１３により決定された色及び輝度にて発光する。
【００２３】
以下、本実施形態１に係る発光装置１の発光例について図４を参照しながら説明する。
【００２４】
図４は本実施形態１に係る発光装置１の発光例を説明する図である。
【００２５】
図４に示すように、例えば４つの表示用パネルを縦横に組み合わせて大型画面（マルチパネル）を形成した場合、十字状になっている隣接部（境界部）に本実施形態１に係る発光装置１を配置し、隣接する表示部の色および輝度に応じて発光させる。
【００２６】
また、大型画面（マルチパネル）の縁部を形成する境界部にも発光装置１を適当数量に配置し、大型画面全体として構成された表示部の色および輝度に応じて発光させる構成としてもよい。
【００２７】
図４に示す例では、各表示パネルの隣り合う２辺に配置できるように、発光装置１は、Ｌ字状に形成されている。また、発光装置１は、Ｔ字状等の別の形状に形成されてもよい。
【００２８】
このように、複数の表示部を縦横に組み合わせて１つのマルチパネル（大型画面）を形成し、この１つのマルチパネルにより１枚の画像を表示する場合に、複数の表示部の境界部（隣接部）に、発光装置１を配置することにより、コストの上昇を抑制しつつ、視聴者に見やすい画像を表示することが可能となる。
【００２９】
また、上記の構成によれば、マルチパネルを構成するどのような表示部に対しても用いることができるため、全体のコストダウンにも寄与できる。
【００３０】
なお、上記の例では、発光装置１が、第１センサ１１−１と第２センサ１１−２とを備える構成について説明したが、これは本実施形態を限定するものではない。例えば、発光装置１は、センサとして、第１センサ１１−１及び第２センサ１１−２の何れか一方（例えば、第１センサ１１−１）を備える構成としてもよい。
【００３１】
このような構成の場合、発光決定部１３は、
・第１センサ１１−１が検知した輝度に応じた輝度、及び
・第１センサ１１−１が検知した色に応じた色
にて発光部１２を発光させる。
【００３２】
以上のように、本実施形態に係る発光装置１は、複数の表示部の境界部に配置される発光装置であって、上記複数の表示部の少なくとも何れかが表示する表示画像の色及び輝度の少なくとも何れかを検知するセンサ（第１センサ１１−１及び第２センサ１１−２の少なくとも何れか）と、上記センサが検知した検知結果に応じて発光すべき色および輝度の少なくとも何れかを決定する発光決定部１３と、上記発光決定部に決定された色及び輝度にて発光する発光部１２とを備えている。
〔実施形態２〕
本発明の実施形態２について図５〜図６に基づいて説明する。
【００３３】
なお、上記実施形態１にて説明した部材と同じ機能を有する部材については、同じ符号を付記し、その説明を省略する。
【００３４】
図５は、本実施形態２に係る発光装置１ａが２枚のパネル（Ｐ１およびＰ２）の境界部に実装された状態を示す主要部分の斜視図である。図６は図５における実装状態を側面から見た模式図である。
【００３５】
図５および図６に示すように、実施形態２と、実施形態１との相違点は、発光装置１ａが拡散板１４を備えることにあり、それ以外の構成は実施形態１と同様である。
【００３６】
発光装置１ａが拡散板１４を備えることにより、発光部１２が発光する光を拡散板１３を用いて拡散させつつ発光装置１ａから出射することができるので、より違和感の少ない画像、すなわちより見やすい画像を表示することが可能な発光装置を提供することができる。
【００３７】
＜発光装置の動作の流れ＞
本実施形態に係る発光装置１ａの動作の流れについて図７に基づいて説明する。実施形態１に係る発光装置１の動作の流れも以下に説明する流れと同様である。
【００３８】
図７は本実施形態に係る発光装置１ａの動作の流れを示すフローチャートである。
【００３９】
図７に示すように、まず、ステップＳ０１において、センサ１１により隣接する表示部（パネル）に表示される表示画像の色及び輝度を検知する。
【００４０】
続いて、ステップＳ０２において、発光決定部１３はセンサ１１が検知した検知結果に応じて発光すべき色および輝度を決定する。発光決定部１３による具体的は処理は上述した通りである。
【００４１】
続いて、ステップＳ０３において、発光部１２は発光決定部１３により決定された色及び輝度にて発光する。
【００４２】
なお、隣接する表示部（パネル）に表示される表示画像の色及び輝度が随時に変化するため、発光装置は上記ステップＳ０１→ステップＳ０２→ステップＳ０３を繰り返して行う。これにより、表示部に表示される映像が動的に変化する場合であっても、視聴者に対して違和感のない映像を表示することができる。
【００４３】
〔実施形態３〕
本発明の発光装置について、実施形態１では、２列のセンサ（１１−１及び１１−２）、及び１列の発光部を備え、拡散板を備えない発光装置１を例に挙げた。また、実施形態２では２列のセンサ、１列の発光部、及び拡散板を備えた発光装置１ａを例に挙げた。ただし、以下に挙げるように、センサと発光部と拡散板との数量は適宜変更が可能である。
【００４４】
例えば、本実施形態に係る発光装置は、実施形態１と同様に２列のセンサ１１−１及び１１−２と、複数列の発光部とを備える構成としてもよい。このような構成の場合、本実施形態に係る発光装置が備える発光制御部は、センサ１１−１により近い発光部が発光する輝度を、センサ１１−１が検知した輝度に対してより大きい重み付けを行い、センサ１１−２が検知した輝度に対してより小さい重み付けを行うことにより得られる加重平均を用いて算出すればよい。また、発光制御部は、センサ１１−１により近い発光部が発光する色を、センサ１１−１が検知した色に対してより大きい重み付けを行い、センサ１１−２が検知した色に対してより小さい重み付けを行うことにより得られる加重平均を用いて算出すればよい。
【００４５】
本実施形態に係る発光装置を上記のように構成することにより、パネルＰ１が表示する画像と、パネルＰ２が表示する画像とを、パネルＰ１とパネルＰ２との境界部において、滑らかに接続するよう発光させることができるので、視聴者にとってより自然な画像を表示することができる。
【００４６】
〔実施形態４〕
以下では、本発明の第４の実施形態について図８〜図１３を参照して説明する。
＜画像信号供給装置２の構成＞
まず、本発明に係る画像信号供給装置２の構成については図８に基づいて説明する。図８は本発明に係る画像信号供給装置２の構成を示すブロック図である。図８に示すように、画像信号供給装置２は、画像信号修正部２１と画像信号供給部２２とを備えて構成されている。
【００４７】
画像信号供給装置２は、複数の領域から構成される表示部に対して、当該複数の表示領域の各々に関する画像信号を供給する画像信号供給装置である。
【００４８】
画像信号修正部２１には入力画像信号が供給される。画像信号修正部２１は、上記複数の表示領域の互いの離間距離を示す離間距離情報を参照して、入力画像信号のうち、上記各表示領域に関する画像信号の示す画像から、当該離間距離情報が示す離間領域における画像を削除することにより上記各表示領域に関する画像信号を修正する。
【００４９】
画像信号供給部２２は、上記画像信号修正部２１によって修正された各画像信号を表示装置の上記各表示領域に供給する。
【００５０】
上記の構成によれば、大型画面の表示画像を単純に分割してフレーム幅分が間延びした表示あるいはフレーム幅分が隠れて表示される場合と比較して、より自然な画像を視聴者に提供することができ、表示画像が境界部（隣接部およびフレーム枠とも称されている）部分において区切られている違和感を低減することができる。
【００５１】
図９は、画像信号修正部２１が取得する離間距離情報を含む取得情報について説明するための図である。図９に示すように、画像信号修正部２１が取得する取得情報には、以下の情報が含まれる。
【００５２】
・大型画面を構成する表示部（パネル）の数量：ｓＭ（横方向）、ｓＮ（縦方向）
・表示部（パネル）の表示面サイズ：dispＷ（横方向）、dispＨ（縦方向）
・表示部（パネル）の境界部サイズ：ａ、ｂ、ｃ、ｄ（左、右、上、下）
・表示部（パネル）の表示面に重なるセンサの幅：ｓw（横方向）、ｓh（縦方向）。
【００５３】
（修正処理例１）
図１０〜図１１は、画像信号修正部２１による第１の修正処理例を説明するための図である。図１０の（ａ）は、入力画像信号が示す画像を示しており、図１０の（ｂ）は、マルチパネルに表示された画像を示す図である。
【００５４】
画像信号修正部２１は、図１１の（ａ）に示す領域Ａ、Ｂ、Ｃ、Ｄのそれぞれに対して修正処理を行う。具体的には、画像信号修正部２１は、図１１の（ｂ）に示すように、dispW+b、dispW、dispH+d、及びdispHの各値を参照することにより、削除すべき領域を特定し、削除する。
【００５５】
続いて、画像信号修正部２１は、図１１（ｃ）に示すように、削除されなかった領域を拡大する。続いて、画像信号供給部２２は、拡大後の画像を対象の表示パネルに供給する。
【００５６】
（修正処理例２）
図１２〜図１３は、画像信号修正部２１による第２の修正処理例を説明するための図である。図１２の（ａ）は、入力画像信号が示す画像を示しており、図１２の（ｂ）は、マルチパネルに表示された画像を示す図である。
【００５７】
画像信号修正部２１は、図１３の（ａ）に示す領域Ａ、Ｂ、Ｃ、Ｄのそれぞれに対して修正処理を行う。具体的には、画像信号修正部２１は、図１３の（ｂ）、（ｃ）に示すように、dispW+b、dispW、dispW+sw、dispH+d、及びdispHの各値を参照することにより、ぼかすすべき領域を特定し、ぼかし処理をする。より具体的には、画像信号修正部２１は、領域Ａ、Ｂ、Ｃ、Ｄに関する画像から隣接領域（離間領域とも呼称される）における画像を削除することにより得られた画像において、隣接領域（離間領域）に隣接する領域における画像をぼかすことによって、領域Ａ、Ｂ、Ｃ、Ｄに関する画像信号を更に修正する。
【００５８】
続いて、画像信号供給部２２は、ぼかし処理後の画像を対象の表示パネルに供給する。
＜画像信号供給装置２が供給される画像を表示する表示装置＞
画像信号供給装置２からの画像が表示装置に供給される。例えば、ぼかし処理された画像の場合、そのぼかされた部分に、実施形態１〜３において説明した発光装置のセンサが配置されるように上記発光装置を設け、当該発光装置が当該ぼかし部分の色および輝度を検知してそれに適応して発光することが挙げられる。
【００５９】
このように、実施形態１〜３に係る発光装置と、実施形態４に係る画像信号供給装置２を用いることにより、ユーザにとってより違和感の少ない画像をマルチパネルを用いて表示することができる。  そして、表示装置において、画像信号供給装置２からの画像が表示される。
【００６０】
〔ソフトウェアによる実現例〕
発光装置１、１ａ、画像信号供給装置２の制御ブロック（特に発光決定部１３、画像信号修正部２１、及び画像信号供給部２２）は、集積回路（ＩＣチップ）等に形成された論理回路（ハードウェア）によって実現してもよいし、ソフトウェアによって実現してもよい。
【００６１】
後者の場合、発光装置１、１ａ、画像信号供給装置２は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００６２】
〔まとめ〕
本発明の態様１に係る発光装置１は、複数の表示部の境界部に配置される発光装置であって、上記複数の表示部の少なくとも何れかが表示する表示画像の色及び輝度の少なくとも何れかを検知するセンサ１１と、上記センサ１１が検知した検知結果に応じて発光すべき色および輝度の少なくとも何れかを決定する発光決定部１３と、上記発光決定部に決定された色及び輝度にて発光する発光部１２とを備えて構成される。
【００６３】
上記態様によれば、複数の表示用パネルにより形成される大型画面において、低コストで見やすい画像を表示することが可能な発光装置１を提供することができる。
【００６４】
本発明の態様２に係る発光装置１は、上記の態様１に記載の発光装置１であって、上記センサ１１は、複数の表示部の各々が表示する表示画像の色及び輝度の少なくとも何れかを検知してもよい。
【００６５】
本発明の態様３に係る発光装置１は、上記の態様１または２に記載の発光装置１であって、上記センサ１１は上記表示部の縁部に沿って延伸するように設けられてもよい。
【００６６】
本発明の態様４に係る発光装置１は、上記の態様１または２に記載の発光装置１であって、上記センサ１１はカラーセンサであってもよい。
【００６７】
上記態様によれば、より安価なカラーセンサを用いることができるため、更なるコスト低減が図れる。
【００６８】
本発明の態様５に係る画像信号供給装置２は、複数の領域から構成される表示部に対して、当該複数の表示領域の各々に関する画像信号を供給する画像信号供給装置であって、上記複数の表示領域の互いの離間距離を示す離間距離情報を参照して、上記各表示領域に関する画像信号の示す画像から、当該離間距離情報が示す離間領域における画像を削除することにより上記各表示領域に関する画像信号を修正する画像信号修正部２１と、上記画像信号修正部２１によって修正された各画像信号を上記各表示領域に供給する画像信号供給部２２と、を備えて構成してもよい。
【００６９】
上記態様によれば、複数の表示用パネルにより形成される大型画面において、低コストで見やすい画像を表示することが可能な画像信号供給装置２を提供することができる。
【００７０】
本発明の態様６に係る発光装置１は、上記の態様５に記載の画像信号供給装置２であって、画像信号修正部２１は、上記各表示領域に関する画像から上記離間領域における画像を削除することにより得られた画像において、上記離間領域に隣接する領域における画像をぼかすことによって、上記各表示領域に関する画像信号を更に修正するように構成してもよい。
【００７１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７２】
１  発光装置
２  画像信号供給装置
１１  センサ
１２  発光部
１３  発光決定部
１４  拡散板
２１  画像信号修正部
２２  画像信号供給部
【図１】
2019047224.tif 000003
【図２】
2019047224.tif 000004
【図３】
2019047224.tif 000005
【図４】
2019047224.tif 000006
【図５】
2019047224.tif 000007
【図６】
2019047224.tif 000008
【図７】
2019047224.tif 000009
【図８】
2019047224.tif 000010
【図９】
2019047224.tif 000011
【図１０】
2019047224.tif 000012
【図１１】
2019047224.tif 000013
【図１２】
2019047224.tif 000014
【図１３】
2019047224.tif 000015